(57)【要約】      （修正有）【課題】遊技機等の電子回路等を収容する回路収容箱（以下、回路収容箱という）の開箱ような不正行為を瞬時に検知し的確で迅速なる措置をとることによって、ホール経営者の損害を確実に軽減し、遊技機業界の信頼度を高め、一般社会における安全性を向上させるための光ファイバー利用による異常監視システムの提供。【解決手段】回路収容箱５等を巻回した監視用光ファイバー５０を監視用光ファイバー切断・固定蓋３０で固定されたカプラーＦ１と、通信用光ファイバーを固定したカプラーＭ２とで構成されている検出部０によって、監視用光ファイバーと通信用光ファイバーが光的結合し異常を検出することができ、制御装置６は終端装置８０を通じてコンピュータ８と接続され、回路収容箱等の不正な開箱の有無を検知する光ファイバーによる異常監視システムとして機能することになる。【選択図】図１
2008295990.tif 000002
【特許請求の範囲】
【請求項１】
電子回路等を収容する回路収容箱（以下、回路収容箱という）の開箱や金庫・保管庫等の不正な開箱・開扉の有無や、貴金属・美術品・高級物品等の盗難等による不正な持出しや、建造物・家屋等への不正な侵入等を検知する光ファイバーによる異常監視システムであって、回路収容箱や金庫・保管庫等、貴金属・美術品・高級物品等、建造物・家屋等の周囲を巻回する封止線材としての監視用光ファイバーと、監視用光ファイバーの切断等の異常により監視用光ファイバーの内部を通過する光信号が正常に帰還しなくなることで回路収容箱等の開箱の有無や不正持出し・不正進入を検出する検出部と、発光素子・受光素子・発光電圧発生回路・変調周波数発振回路・変調回路・復調比較回路・電源監視回路・判定信号発生回路・インターフェイス回路を設けた制御装置（以下、制御装置という）と、検出部と制御装置間との通信線としての送光ファイバーおよび受光ファイバーを設けてあることを特徴とする光ファイバーによる異常監視システム。
【請求項２】
請求項１において、検出部はカプラーＦとカプラーＭから構成されている。
カプラーＦは封止のために回路収容箱等を巻回させた監視用光ファイバーの始端部および終端部を圧迫固定し、カプラーＭと合体するための構造体である。
カプラーＦは監視用光ファイバー切断・固定蓋を備え、送光ファイバー誘導口と受光ファイバー誘導口を有し、かつ嵌合爪を備えている。また、監視用光ファイバー切断・固定蓋は監視用光ファイバー切断刃と監視用光ファイバー固定刃を備えている。
カプラーＭは制御装置との通信を行う目的の通信用光ファイバーの送光端と受光端を固定し、カプラーＦと合体するための構造体である。
カプラーＭには送光ファイバー挿入口と引出口および受光ファイバー挿入口と引出口を持ちカプラーＦの嵌合爪をはめ込む嵌合孔および嵌合を解除する嵌合解放ボタンを備えている。
カプラーＦとカプラーＭを合体させることによって検出部を構成し、監視用光ファイバーと通信用光ファイバーの線芯を一直線に保持する機能を有することを特徴とする光ファイバーによる異常監視システム。
【請求項３】
請求項２において、カプラーＦの監視用光ファイバー切断・固定蓋は監視用光ファイバーを切断する切断刃と監視用光ファイバーをカプラーＦに固定する固定刃を持ち、カプラーＦにおいて監視用光ファイバー切断・固定蓋を押下することによって、回路収容箱等を巻回した監視用光ファイバーを弛みなく封止出来るよう切断・固定することを特徴とする光ファイバーによる異常監視システム。
【請求項４】
請求項２において、検出部は監視用光ファイバーと通信用光ファイバーの線芯を一直線に保持する機能を有しており、監視用光ファイバーや通信用光ファイバーの切断のみならず、監視用光ファイバーと通信用光ファイバーを離反させた場合、監視用光ファイバーと通信用光ファイバーとの線芯を一直線に保持出来無くなることによって、異常を検出することを特徴とする光ファイバーによる異常監視システム。
【発明の詳細な説明】
【技術分野】
【０００１】本発明は電子回路等を収容する回路収容箱（以下、回路収容箱という）や金庫・保管庫等の不正な開箱・開扉の有無や、貴金属・美術品・高級物品等の盗難等による不正な持出しや、建造物や家屋等への不正な侵入等を検知する光ファイバーによる異常監視システムに関する。対象物が多岐にわたるため、便宜上遊技機における回路収容箱に焦点を当てて以下に説明する。
【背景技術】
【０００２】パチンコ・パチスロ等の遊技機は、その作動の中心的な制御を機械的なものからマイクロコンピュータを使用した電子的なものに変化している。この電子回路には制御プログラムを格納するメモリーが搭載されており、そのメモリーを交換したり内容を書き換えたりする行為が発生した場合、その事象を確認すべく特殊ネジを利用した機械的な封印「カシメ構造」やメーカー名を記した「封印シール」「ホログラム封印シール」の貼付や「電気的な閉回路を備えた粘着式封止シール」や「多芯ケーブルの巻回による封止」や「インシュロック」による封止などが利用されている。【０００３】特殊ネジを利用した機械的な封印「カシメ構造」やメーカー名を記した「封印シール」「ホログラム封印シール」や「インシュロック」では問題が発生したことを確認するには、目視点検に依存することとなり、点検確認の精度は実行する検査員の個人的技量の差異により検査結果の信頼性が異なる可能性が極めて大きい。また検査した時刻が異常発見時刻となり異常を起こさせた行為がいつ行われたかを特定することが出来ないため、不正行為等の犯罪を抑止する力が乏しい。最近はこれらのメモリー等を搭載した電気回路等の収容箱ごと交換されるまでに至っている。これでは何らの証拠も残らないことになる。【０００４】このような事象を電気的に監視する手段として、粘着式の封止シールに電気的な閉回路を印刷技術によって設けた「電気的な閉回路を備えた粘着式封止シール」を剥離または切断された状態を異常発生と認識するものや、「多芯ケーブルの巻回による封止」などがあるが、以下の問題を解決する必要がある。【０００５】
【特許文献１】特願平１０−０９５６７２
【特許文献２】特願平１０−１１２０８６
【特許文献３】特願平１０−１２８９９２
【特許文献４】特願平１０−１９５３６２
【特許文献５】特願２００１−３０１９５
【特許文献６】特公２００４−２２２８９４
【特許文献７】特願２００６−８１７３３
【発明の開示】
【発明が解決しようとする課題】
【０００６】特殊ネジを利用した機械的な封印「カシメ構造」やメーカー名を記した「封印シール」「ホログラム封印シール」や「インシュロック」などを利用した場合は目視点検に依存することになり、不正行為を確実に検出することが困難である。【０００７】パチンコ・パチスロ等遊技機は稼動時と非稼動時ではその機械を構成している機材の温度差が大きく、そこに貼付された「電気的な閉回路を備えた粘着式封止シール」のセンサー部すなわち粘着貼付面が温度変化による膨張力・収縮力に耐え切れず自己断線することがある。【０００８】遊技機からパチンコ玉が落下し「電気的な閉回路を備えた粘着式封止シール」に直接当たった場合、急激な圧力が粘着貼付面にかかり自己断線する。【０００９】貼付される側の材質との相性によっては、時間の経過とともに「電気的な閉回路を備えた粘着式封止シール」が自然剥離する可能性がある。これは貼付面が金属である場合に多く見られる。【００１０】「多芯ケーブルの巻回による封止」の場合、電気的な特性から多芯ケーブルにピンや針状のものを差し込まれたり、多芯ケーブルの外皮を剥離して線間を短絡させることによって封止線材のラインが正常な接続状態にあるのと等価な「偽装回路」が形成され、封止線材を切断したり除外しても異常を検出することが出来なくなり、異常検知の回避手段として不正利用される可能性がある。
【課題を解決するための手段】
【００１１】本発明は電子回路等を収容する回路収容箱（以下、回路収容箱という）の開箱の有無を検知する異常監視システムであって、回路収容箱の周囲を巻回する封止線材としての監視用光ファイバーと、監視用光ファイバーの切断等の異常により監視用光ファイバーの内部を通過する光信号が正常に帰還しなくなることで回路収容箱の異常な開箱の有無を検出する検出部と、発光素子・受光素子・発光電圧発生回路・変調周波数発振回路・変調回路・復調比較回路・電源監視回路・判定信号発生回路・インターフェイス回路を設けた制御装置（以下、制御装置という）と、検出部と制御装置間との通信線としてとしての通信光ファイバーを設けてあることを特徴とする光ファイバーによる異常監視システムにある。【００１２】本発明において、検出部はカプラーＦとカプラーＭから構成されている。
カプラーＦは封止のために回路収容箱を巻回させた監視用光ファイバーの始端部および終端部を圧迫固定し、カプラーＭと合体するための構造体である。
カプラーＦは監視用光ファイバー切断・固定蓋を備え、送光ファイバー誘導口と受光ファイバー誘導口を有し、かつ嵌合爪を備えている。なお監視用光ファイバー切断・固定蓋は監視用光ファイバー切断刃と監視用光ファイバー固定刃を備えている。
カプラーＭは制御装置との通信を行う目的の通信用光ファイバーの送光端と受光端を支持し、カプラーＦと合体するための構造体である。
カプラーＭには送光ファイバー挿入口と引出口および受光ファイバー挿入口と引出口を持ちカプラーＦの嵌合爪をはめ込む嵌合孔および嵌合を解除する嵌合解放ボタンを備えている。
カプラーＦとカプラーＭを合体させることによって、監視用光ファイバーと通信用光ファイバーの線芯を一直線に保持する機能を有することを特徴とする光ファイバーによる異常監視システムにある。【００１３】本発明は機械的な封印「カシメ構造」や、メーカー名を記した「封印シール」「ホログラム封印シール」や「インシュロック」における目視点検の必要性を無くし、「電気的な閉回路を備えた粘着式封止シール」における剥離や自己断線による監視の不確実性を排除し、「多芯ケーブル等の電線」における「偽装回路」の形成を不可能にする光ファイバーを利用した異常監視システムであって、回路収容箱を巻回する封止線材として監視用光ファイバーを、検出部から制御装置への通信線として通信光ファイバーを使用していることを特徴とする光ファイバーによる異常監視システムにある。【００１４】本発明はカプラーＦで固定された監視用光ファイバーの始端部と終端部とは、カプラーＭで固定された通信光ファイバーの送光ファイバーおよび受光ファイバーと光的結合しており、監視用光ファイバーを外すために無理やり切断したり、検出装置から引抜いたりすれば光的結合が粗になり、異常開箱として検出されることを特徴とする光ファイバーよる異常監視システムにある。【００１５】本発明の検出部のカプラーＦには監視用光ファイバー切断・固定蓋によって監視用光ファイバーを固定しているため、カプラーＦがカプラーＭから引抜かれたり、カプラーＦから監視用光ファイバー切断・固定蓋を抉じ開けられたりした場合は、監視用光ファイバーの固定が解かれ上記の光的結合が切断されてしまうため、異常開箱として検出されることを特徴とする光ファイバーによる異常監視システムにある。【００１６】回路収容箱を搭載する遊技機の特定部位たとえば回路収容箱を固定している柱状の部位や、周囲の格子状物・輪状物・穴・などに、監視用光ファイバーを巻き込んで封止すると、回路収容箱の開箱だけではなく回路収容箱自体の取り外しをも監視することが出来る。【００１７】光ファイバーは非常に細く引張り強度が高く柔軟性に富んでいるので、パチスロ機の回路収容箱のように事前にパチスロ機本体と固定され周囲との空間が狭い場合においても、わずかな隙間や穴などを通して回路収容箱を封止することが可能となり、複雑な内部構造のため監視の難しいパチスロ機等の回路収容箱の異常開箱も検知できる。
【発明の効果】
【００１８】特殊ネジを利用した機械的な封印「カシメ構造」やメーカー名を記した「封印シール」における目視点検が不要となり、「電気的な閉回路を備えた粘着式封止シール」における温度差やパチンコ玉の落下による急激な圧力で起きる自己断線や、時間経過や風力による共振運動で起きる自然剥離などの欠点を除去し回路収容箱の異常開箱を監視することができる。【００１９】細く引張り強度が高く柔軟性に富む光ファイバーを利用することにより、パチンコ機はもとより「電気的な閉回路を備えた粘着式封止シール」の貼付が困難なパチスロ機等においても、また「多芯ケーブル等の電線」の厚さや太さが原因で巻回して通すことが出来ない場合でも、遊技機本体と回路収容箱との極めてわずかな隙間や小さな穴等に通すことが出来るため回路収容箱の異常開箱を監視することができる。【００２０】光ファイバーを利用することによって、「多芯ケーブル等の電線」における電気的な特性による「偽装回路」の形成による不正行為の可能性を除去することが出来、回路収容箱の監視の精度を向上させることが可能となった。
【発明を実施するための最良の形態】
【実施例】
【００２１】以下、本発明の実施の形態を図１〜図３０に基づいて説明する。【００２２】まず図１において、概略を説明する。
０検出部を構成している１カプラーＦにおいて５回路収容箱を巻回した５０監視用光ファイバーが３０監視用光ファイバー切断・固定蓋によって固定され、また２カプラーＭにおいて６制御装置からの通信光ファイバーの４１送光ファイバーと４２受光ファイバーとが固定されている。１カプラーＦと２カプラーＭが結合され、５０監視用光ファイバーと通信用光ファイバーの４１送光ファイバーおよび４２受光ファイバーとが光的結合することによって異常を検出することができる。６制御装置によって光信号は電気信号に変換され８０ホールコンピュータ終端装置を通じて８ホールコンピュ−タと接続され、５回路収容箱の不正な開箱の有無を検知する光ファイバーによる異常監視システムとして機能することになる。【００２３】図２において、１カプラーＦに一端を固定した５０監視用光ファイバーを７３周囲の開口部を貫通させて５回路収容箱に巻回させ、その終端を１カプラーＦに戻して固定することで５回路収容箱の開封や７２周囲の構造物からの取り外しを監視する。【００２４】図３において、図２に示した１カプラーＦと２カプラーＭの２つの部分から構成されている構造体は、１カプラーＦには５０監視用光ファイバーの挿入口である５１光ファイバー挿入口１および５２光ファイバー挿入口２が設けられている。【００２５】図４において、２カプラーＭには４１送光ファイバーの挿入口である４３光ファイバー挿入口３と４２受光ファイバーの挿入口である４４光ファイバー挿入口４と、２カプラーＭとの嵌合を解除する２０嵌合解放ボタン１がある。また図４では見えないが反対側に２１嵌合解放ボタン２がある。【００２６】図５、図６において、１カプラーＦは３１監視用光ファイバー切断刃、３５監視用光ファイバー固定刃を持った３０監視用光ファイバー切断・固定蓋と１５嵌合爪１、１６嵌合爪２を持っている。１５嵌合爪１が図２０の２７嵌合孔１に、１６嵌合爪２が図１９の２８嵌合孔２に対応しており、それぞれが一旦噛み合うと１カプラーＦと２カプラーＭは２０嵌合解放ボタン１と２１嵌合解放ボタン２を同時に押し込むことにより、再び分離することが出来る構造を有する。なお、１カプラーＦと２カプラーＭは図７、図８のように向かい合って組み合わさる構造である。【００２７】図９において１カプラーＦの上面より見た１７監視用光ファイバー挿入孔１、１３送光ファイバー誘導口、１８監視用光ファイバー挿入孔２、１４受光ファイバー誘導口の透視位置を示す。又、Ａ，Ｂ間の一点鎖線で切断した断面の側面図を図１０に示す。【００２８】図１０において、３１監視用光ファイバー切断刃と３５監視用光ファイバー固定刃を取り付けた３０監視用光ファイバー切断・固定蓋は図９の１７監視用光ファイバー挿入孔１、１８監視用光ファイバー挿入孔２を横切る状態で１カプラーＦにはめ込まれる構造である。なお図１０の３０監視用光ファイバー切断・固定蓋は押下された状態での位置を示している。【００２９】図１１において３５監視用光ファイバー固定刃の正面図を示す。【００３０】図１２において３１監視用光ファイバー切断刃の正面図を示す。【００３１】図１３において、５０監視用光ファイバーの取付け方法は、その一端を１カプラーＦの５１監視用光ファイバー挿入口１から挿入し他端をもって回路収容箱を巻回させた後、１カプラーＦの５２監視用光ファイバー挿入口２から挿入する。この状態で図１３のＣ，Ｄにおける１カプラーＦの断面図は図１４のとおりである。【００３２】図１５において、図１３の要領でセットされた５０監視用光ファイバーはその片端を１カプラーＦの１８監視用光ファイバー挿入孔１を通って１カプラーＦを貫通し１４受光ファイバー誘導口からはみ出した状態となり、もう一方の端は１７監視用光ファイバー挿入孔２を通って１カプラーＦを貫通し１３送光ファイバー誘導口からはみ出した状態となる。この貫通した５０監視用光ファイバーの両端を１カプラーＦから引き出すことにより５０監視用光ファィバーが回路収容箱を隙間なく巻回するように緊張させる。このとき、３５監視用光ファイバー固定刃、３１監視用光ファイバー切断刃と５０監視用光ファイバーの位置関係は図１６のようになる。【００３３】図１７は３０監視用光ファイバー切断・固定蓋を押下して５０監視用光ファイバーの不要部分を３１監視用光ファイバー切断刃により切断すると同時に５０監視用光ファイバーが１カプラーＦから抜け落ちを防止するため３５監視用光ファイバー固定刃で固定された状態であり、このとき、３５監視用光ファイバー固定刃、３１監視用光ファイバー切断刃と５０監視用光ファイバーの位置関係は図１８のようになる。【００３４】図１９は２カプラーＭを１カプラーＦとの結合側から見た図であり、４１送光ファイバーを取り付けるための２３送光ファイバー引出口、４２受光ファイバーを取り付けるための２４受光ファイバー引出口を有する。又、１カプラーＦと結合するための１６嵌合爪２の嵌合相手となる２７嵌合孔２を内面に有する。【００３５】図２０は上記図１９の状態にある１カプラーＦを後部から見た図であり、４１送光ファイバーを２３送光ファイバー引出口に貫通させるために差し込むべき２５送光ファイバー挿入口、４２受光ファイバーを２４受光ファイバー引出口に貫通させるために差し込むべき２６受光ファイバー挿入口を有する。又、１カプラーＦと結合するための１５嵌合爪１の嵌合相手となる２８嵌合孔１を内面に有する。２１嵌合解放ボタン２は図２０の２０嵌合解放ボタン１と同時に押込むことにより１カプラーＦと２カプラーＭの嵌合を解除するために設けてある。【００３６】図２１において、本図は２カプラーＭを上部より見た図であり、その後部より４１送光ファイバー、４２受光ファイバーが挿入されている。この図においてＥ−Ｆにて切断した断面図を図２２に示す。【００３７】図２２において、２カプラーＭに挿入された４１送光ファイバー、４２受光ファイバーの位置決定と抜け落ちを防止するために２２１送・受光ファイバー圧着板および２２２圧着板固定ビスを有する。【００３８】図２３において、本図は図２１の状態にある２カプラーＭを透視した状態であり４１送光ファイバーは２３０送光ファイバー誘導孔に挿入され、４２受光ファイバーは２３１受光ファイバー誘導孔に挿入され、それぞれが２２１送・受光ファイバー圧着板で固定されている状態を示す。【００３９】図２４において、本図は１カプラーＦと２カプラーＭが結合した状態であり、内部では１５嵌合爪１が２８嵌合孔１と、１６嵌合爪２が２７嵌合孔２とそれぞれ嵌合している。【００４０】図２５において、本図は図２３で１カプラーＦと２カプラーＭが結合した状態を上面から透視した物であり主に５０監視用光ファイバーと４１送光ファイバー、４２受光ファイバーの関係について表示している。８０監視用光ファイバーは１カプラーＦの内部で３１監視用光ファイバー切断刃によって２５０監視用光ファイバー・送光ファイバー対面点、２５１監視用光ファイバー・受光ファイバー対面点で切断されており、それらの切断面に軸芯を合わせる状態で４１送光ファイバー、４２受光ファイバーが２カプラーＭの内部に固定されている。この状態により４１送光ファイバーより送信された監視用光信号は５０監視用光ファイバー内部を環状に進行して４２受光ファイバーに戻る光回路が構成される。【００４１】図２６において、本図は図２４のＧ−Ｈで示された一点鎖線で切断した断面を示しており、２６０対面点ではＧ側から挿入された５０監視用光ファイバーが３１監視用光ファイバー切断刃で切断されており、Ｈ側から挿入された４１送光ファイバー、４２受光ファイバーと２６０対面点で相互の軸芯を整合させた状態で断面を向かい合わせている。この状態にて４１送光ファイバーから送信された信号光は２６０切断点の空隙を通過して５０監視用光ファイバーに伝わり、５０監視用光ファイバーを巡回してきた信号光は４２受光ファイバーに伝わる。【００４２】図２７において、０検出部の内部において５０監視用光ファイバーの両端はそれぞれ４１送光フアイバー、４２受光ファイバーとの間で一連の光路を形成しており、４１送光フアイバー、４２受光ファイバーの末端には６０制御回路に接続すべき４５送光コネクターと４６受光コネクターが取り付けられている。【００４３】図２８において、６１発光素子は図２７の４５送光コネクターと対面し、６２受光素子は図２７の４６受光コネクターと対面して光の送信・受信を行う。６１発光素子を励起するための電圧を６３発光電圧発生回路で発生させ、６４変調周波数発振回路で発振させた変調信号と共に６５変調回路で電圧振幅をパルス状に変調する。変調のかかった信号は６１発光素子に送られ光に変換後、４１送光ファイバーにて送出される。送出された光信号は変調を受けているため外来光とは完全に分離することが出来、また外来光による何たる影響も受けない。４２受光ファイバーにより６０制御回路に帰還した光信号は６２受光素子によって電気信号に変換され６６復調比較回路に送られる。６６復調比較回路で復調後に変調信号と比較され６０制御回路から送信した変調光であることを認識した場合、６８判定信号発生回路に「正常」の二値信号を送る。６０制御回路から送信した変調光でない場合は「異常」の二値信号を送る。また、６７電源監視回路では常に６０制御回路に供給される電圧を監視しており、異常値が発生すれば６８判定信号発生回路に「異常」の二値信号を送り故意的な電源切断や停電を異常状態として判別している。これらの二値信号は６９インターフェイス回路にて上位機器に適合する値に変換送信される。【００４４】図２９において、７０遊技機に搭載されている５回路収容箱に対して０検出部（１カプラーＦ・２カプラーＭ）を装着し５０監視用光ファイバーを巻回し監視状態を構成している。７１壁面に固定された６制御装置では４１送光ファイバーで監視用の光を送出し０検出部（１カプラーＦ・２カプラーＭ）から帰還した光信号を４２受光ファイバーで受け、光信号の正否を確認している。６制御装置の出力は８０ホールコンピュータ終端装置を経由して８ホールコンピュータに送出される。【００４５】図３０において、遊技機業界を管理する法律（風適法）に適した０検出部（１カプラーＦと２カプラーＭ）の取付け方法を示している。すなわち５回路収納箱の内容が何処からでも目視できるように、０検出部（１カプラーＦと２カプラーＭ）を回路収容箱の角でぶらさげた状態で取付けている。
【図面の簡単な説明】
【００４６】
【図１】光ファイバーによる異常監視システムの概要図
【図２】回路収容箱に監視用光ファイバーでの巻回状況を示す立体図
【図３】カプラーＦとカプラーＭの結合と監視用光ファイバー挿入口を示す立体図
【図４】カプラーＦとカプラーＭの結合と通信用光ファイバー挿入口を示す立体図
【図５】カプラーＦにおける監視用光ファイバー切断・固定蓋と嵌合爪を示す立体図
【図６】カプラーＦにおける監視用光ファイバー切断・固定蓋と固定刃を示す立体図
【図７】カプラーＦとカプラーＭとの結合前の立体図
【図８】カプラーＦとカプラーＭとの結合前の他方向からの立体図
【図９】カプラーＦの上面から見た監視用光ファイバー誘導孔と通信用光ファイバー誘導孔を透視した平面図
【図１０】カプラーＦにおける監視用光ファイバー切断・固定蓋に取り付けられた監視用光ファイバー切断刃と監視用光ファイバー固定刃が監視用光ファイバー切断・固定蓋が、カプラーＦに嵌め込まれた状態を示す側面図
【図１１】監視用光ファイバー固定刃の正面図
【図１２】監視用光ファイバー切断刃の正面図
【図１３】回路収容箱への監視用光ファイバーの取付方法を示す立体図
【図１４】カプラーＦにおける監視用光ファイバー切断・固定蓋の挿入前の状態を示す断面図
【図１５】カプラーＦにおける監視用光ファイバーが切断・固定される前の上面から見た平面図
【図１６】カプラーＦにおける監視用光ファイバー切断刃と固定刃との監視用光ファイバーの位置関係を示す断面図
【図１７】カプラーＦにおける監視用光ファイバー切断・固定蓋を押下した時の側面図
【図１８】カプラーＦにおける監視用光ファイバー切断・固定蓋を押下した時の切断刃および固定刃と、監視用光ファイバーとの位置関係を示す側面図
【図１９】カプラーＭのカプラーＦとの結合側からの見た立体図
【図２０】カプラーＭの結合側の後部から見た立体図
【図２１】カプラーＭの上部から見た平面図
【図２２】カプラーＭに挿入された通信用光ファイバーの位置関係を示す透視図
【図２３】カプラーＭに挿入された通信用光ファイバーの位置関係を示す上面から透視図
【図２４】カプラーＦとカプラーＭが結合された状態を示す立体図
【図２５】カプラーＦとカプラーＭが結合された状態を上部から見た透視図
【図２６】カプラーＦとカプラーＭが結合された状態を側面から見た透視図
【図２７】検出箱に送光ファイバー、送光コネクター、受光ファイバー、受光コネクターを連結し、検出箱全体を組み立てた状態の平面図
【図２８】制御回路の回路構成図
【図２９】光ファイバーによる異常監視システム全図
【図３０】風適法を遵守するための検出部（カプラーＦ・カプラーＭ）の取付立体図
【符号の説明】
【００４７】１      カプラーＦ
２      カプラーＭ
５      回路収容箱
６      制御装置
８      ホールコンピュータ
１３    送光ファイバー誘導孔
１４    受光ファイバー誘導孔
１５    嵌合爪１
１６    嵌合爪２
１７    監視用光ファイバー誘導孔１
１８    監視用光ファイバー誘導孔２
２３    送光ファイバー引出孔
２４    受光ファイバー引出孔
２７    嵌合孔
２５    送光ファイバー挿入孔
２６    受光ファイバー挿入孔
２８    嵌合孔
３６    監視用光ファイバー固定溝
３２    監視用光ファイバー切断刃先
３０    監視用光ファイバー切断・固定蓋
３１    監視用光ファイバー切断刃
３５    監視用光ファイバー固定刃
３６    監視用光ファイバー固定溝
４１    送光ファイバー
４２    受光ファイバー
４３    光ファイバー挿入口３
４４    光ファイバー挿入口４
４５    送光コネクター
４６    受光コネクター
５０    監視用光ファイバー
５１    監視用光ファイバー挿入口１
５２    監視用光ファイバー挿入口２
６０    制御回路
６１    発光素子
６２    受光素子
６３    発光電圧発生回路
６４    変調周波数発振回路
６５    変調回路
６６    復調回路
６７    電源監視回路
６８    判定信号発生回路
６９    インターフェイス回路
７０    遊技機
７１    壁面
７２    周囲の構造物
７３    周囲の開口部
８０    ホールコンピュータの終端装置
２２１  送・受光ファイバー圧着板
２２２  圧着板固定ビス
２３０  送光ファイバー誘導孔
２３１  受光ファイバー誘導孔
２５０  監視用光ファイバー・送光ファイバー対面点
２５１  監視用光ファイバー・受光ファイバー対面点
【図１】
2008295990.tif 000003
【図２】
2008295990.tif 000004
【図３】
2008295990.tif 000005
【図４】
2008295990.tif 000006
【図５】
2008295990.tif 000007
【図６】
2008295990.tif 000008
【図７】
2008295990.tif 000009
【図８】
2008295990.tif 000010
【図９】
2008295990.tif 000011
【図１０】
2008295990.tif 000012
【図１１】
2008295990.tif 000013
【図１２】
2008295990.tif 000014
【図１３】
2008295990.tif 000015
【図１４】
2008295990.tif 000016
【図１５】
2008295990.tif 000017
【図１６】
2008295990.tif 000018
【図１７】
2008295990.tif 000019
【図１８】
2008295990.tif 000020
【図１９】
2008295990.tif 000021
【図２０】
2008295990.tif 000022
【図２１】
2008295990.tif 000023
【図２２】
2008295990.tif 000024
【図２３】
2008295990.tif 000025
【図２４】
2008295990.tif 000026
【図２５】
2008295990.tif 000027
【図２６】
2008295990.tif 000028
【図２７】
2008295990.tif 000029
【図２８】
2008295990.tif 000030
【図２９】
2008295990.tif 000031
【図３０】
2008295990.tif 000032